(57)【要約】  複数のアンテナ入力と、複数のアンテナ入力の一つを選択する選択部と、ディスプレイ用パネルとパネルの機械的な強度を保持するために用いられる金属シャーシと、共振パターンと、一部分に被膜除去部分を設けて外部導体を露出させた同軸ケーブルとを有し、被膜除去部分を金属シャーシの上端近傍において固定するＰＩＦＡタイプのアンテナとを備える携帯端末である。
2015033498.tif 000002
【特許請求の範囲】
【請求項１】
ディスプレイ用パネルと前記パネルの機械的な強度を保持するために用いられる金属シャーシと、  共振パターンと、一部分に被膜除去部分を設けて外部導体を露出させた同軸ケーブルとを有し、前記被膜除去部分を前記金属シャーシの上端近傍において固定するＰＩＦＡタイプのアンテナと  を備える携帯端末。
【請求項２】
本体の上端近傍の領域に、前記共振パターンの部分を前記ディスプレイ用パネル面に対して垂直に配置するようにした請求項１に記載の携帯端末。
【請求項３】
前記金属シャーシの上端と前記共振パターンとが所定の距離、離間される請求項２に記載の携帯端末。
【請求項４】
前記パネルが光学式タッチパネルを構成し、前記ＰＩＦＡタイプのアンテナが前記光学式タッチパネルの外側に配置される請求項１に記載の携帯端末。
【請求項５】
前記共振パターンが、フレキシブル基板、または配線基板上に形成される請求項１に記載の携帯端末。
【請求項６】
前記共振パターンが、金属により生成される請求項１に記載の携帯端末。
【請求項７】
前記被膜除去部分を前記金属シャーシの上端近傍において固定する場合に、前記被膜除去部分の位置によって、前記ＰＩＦＡタイプのアンテナの入力インピーダンスを調整するようにした請求項１に記載の携帯端末。
【発明の詳細な説明】
【技術分野】
【０００１】  本開示は、例えば電子書籍専用端末に適用されるタブレットタイプの携帯端末に関する。
【背景技術】
【０００２】  近年、ノート型パーソナルコンピュータに加えて、携帯電話からの進化系であるスマートホンに代表されるタブレットタイプの携帯型電子端末機器が数多く製品化されている。このようなタブレットタイプの携帯型電子端末の中には、光学式のタッチパネルを使用しているものがある。【０００３】  光学式タッチパネルは、赤外線用ＬＥＤ(Light Emitting Diode)群と、赤外線用ＬＥＤ群からの赤外線を受光するためのフォトダイオード群とがディスプレイ用パネルの周囲を取り囲むように配置される。パネル上に赤外線で生成された走査線を縦横に張り巡らすようにする。この赤外走査線を、指やスタイラスペン等を用いて遮ることによって、ディスプレイ用パネル上のどの位置がタッチされたのかが特定される。【０００４】  ところが、近年のタブレットタイプの携帯型電子端末では、筺体の中に無線ＬＡＮ(Local Area Network)等のアンテナを内蔵し、無線通信を行う機能を搭載しているものが、ほとんどを占めている。そのため、上述した光学式タッチパネル方式を採用したタブレットタイプの携帯型電子端末の場合、メイン基板上に実装された、赤外線用ＬＥＤ群とそれを受光するためのフォトダイオード群の外側に、無線通信を行うためのアンテナ部を設置する構造が採用されている。【０００５】  アンテナとして例えば板状逆Ｆ型アンテナ（以下、ＰＩＦＡ(Planar Inverted F Antenna）タイプのアンテナと称する)が使用される。例えば特許文献１に示されるように、ＰＩＦＡタイプのアンテナの板状放射素子がパネル面と平行に設置されている。
【先行技術文献】
【特許文献】
【０００６】
【特許文献１】特開２０１３−０４８４７０号公報
【発明の概要】
【発明が解決しようとする課題】
【０００７】  しかしながら、上述した従来から用いられている方式においては、以下に述べる問題点があった。  近年、タブレットタイプの携帯型電子機器の飛躍的な普及により、ユーザの価値観やライフスタイルが多様化し、デザインに求められる嗜好もよりスタイリッシュなものになっている。特に電子書籍専用端末のような、読書を行うための携帯型電子機器においては、ディスプレイ面側のデザインとして、書籍と同様の感覚で読書を行ううえで、狭ベゼル（狭額縁）の形状が、ユーザーから好まれている。さらに、端末の小型化にとっても狭ベゼルが望ましい。【０００８】  従来例のような、光学式タッチパネル方式を採用したタブレットタイプの携帯型電子端末の場合では、メイン基板上に実装された、赤外線用ＬＥＤ群とフォトダイオード群の外側に、無線通信を行うためのＰＩＦＡタイプのアンテナの板状放射素子をパネル面と平行に設置するため、ベゼルの幅が広くなる。したがって、狭ベゼル（狭額縁）のデザイン形状を実現することが難しく、読書機能に特化している電子書籍専用端末ユーザーの嗜好を満足させることができなかった。【０００９】  したがって、本開示の目的は、狭ベゼル（狭額縁）の形状を有する小型な携帯端末を提供することにある。
【課題を解決するための手段】
【００１０】  本開示は、ディスプレイ用パネルとパネルの機械的な強度を保持するために用いられる金属シャーシと、  共振パターンと、一部分に被膜除去部分を設けて外部導体を露出させた同軸ケーブルとを有し、被膜除去部分を金属シャーシの上端近傍において固定するＰＩＦＡタイプのアンテナと  を備える携帯端末である。
【発明の効果】
【００１１】  本開示によれば、携帯端末において、本体ディスプレイ面側で、狭ベゼル（狭額縁）のデザインを実現することが可能となり、小型化が可能となり、ユーザーのデザインに対する嗜好性を満足させることができる。さらに、電流ミスマッチによるアンテナ特性の劣化を防ぐことができる。なお、ここに記載された効果は必ずしも限定されるものではなく、本開示中に記載されたいずれかの効果であっても良い。
【図面の簡単な説明】
【００１２】
【図１】本開示の一実施の形態の外観を示す正面図である。
【図２】本開示の一実施の形態の機械的構成を示す分解斜視図である。
【図３】本開示の一実施の形態の機械的構成を示す拡大断面図である。
【図４】光学式タッチパネルの説明に用いる略線図である。
【図５】本開示の一実施の形態におけるアンテナの取付構成の説明に用いる部分斜視図である。
【図６】アンテナとアンテナに接続された同軸ケーブルとを示す略線図である。
【図７】アンテナの取付位置の説明に用いる略線図である。
【図８】同軸ケーブルの外部導体からの漏洩電流の影響を説明するための略線図である。
【図９】ＰＩＦＡタイプのアンテナの原理の説明に用いる略線図である。
【図１０】被膜除去部分の位置による入力インピーダンスの調整の説明に用いるグラフである。
【図１１】本開示の効果の説明に用いる略線図である。
【発明を実施するための形態】
【００１３】  以下に説明する実施の形態は、本開示の好適な具体例であり、技術的に好ましい種々の限定が付されている。しかしながら、本開示の範囲は、以下の説明において、特に本開示を限定する旨の記載がない限り、これらの実施の形態に限定されないものとする。  以下の説明は、下記の順序にしたがってなされる。＜１．一実施の形態＞＜２．変形例＞
【００１４】＜１．一実施の形態＞「電子書籍専用端末の外観」  本開示の一実施の形態は、本開示を電子書籍専用端末に対して適用したものである。図１に示すように、電子書籍専用端末１００は、タッチパネル１０１を有する。タッチパネル１０１は、光学式タッチパネル方式を採用したものである。タッチパネル１０１は、ディスプレイ上に設置されている。ディスプレイとしては、例えば６型電子ペーパーを使用することができる。電子ペーパーは、紙のような感覚で文字が見やすい利点を有し、電子書籍専用端末に使用して好適である。
【００１５】  タッチパネル１０１の周辺をベゼルが取り囲んでいる。さらに、電子書籍専用端末１００は、タッチパネル１０１の表示面を上面とすると、背面、側面、上端面、下端面を有するタブレット端末の形状を有する。
【００１６】  タッチパネル１０１の下側には、操作ボタンが配置されている。操作ボタンとしては、ページめくりボタン１０２ａ、ホームボタン１０２ｂ、バックボタン１０２ｃおよびメニューボタン１０２ｄが含まれる。ページめくりボタン１０２ａを押すことによって、前のページまたは次のページに進む。ホームボタン１０２ｂを押すと、ホームメニューが表示される。バックボタン１０２ｃが押されると、前の画面に戻る。メニューボタン１０２ｄが押されると、各アプリケーションで使用可能なメニューが表示される。
【００１７】  電子書籍専用端末１００の側面には、メモリカードスロットが設けられている。電子書籍専用端末１００の下端面には、リセットボタン、マイクロＵＳＢ(Universal Serial Bus)端子、電源ボタン、バッテリアクセスランプが設けられている。
【００１８】  リセットボタンは、リセット動作を行う場合に細いピン等によって押される。リセット後には、電源ボタンが押されることによって、再起動が行われる。ＵＳＢ端子は、コンピュータとの接続のために使用される。電源ボタンを押すと、電子書籍専用端末の電源がオンとなる。電力の消費を抑えるために、スリープモードが可能とされている。バッテリアクセスランプは、本体内の二次電池の充電中に赤色に点灯し、起動時やシャットダウン時にオレンジ色に点滅する。二次電池は、ＵＳＢ端子を利用してコンピュータにより充電したり、ＡＣアダプタにより充電することができる。
【００１９】  電子書籍を購入する方法としては、コンピュータを使用する方法と、電子書籍専用端末１００の無線通信機能を利用する方法である。専用のソフトウェアをコンピュータにインストールし、インターネットを通じてストアにアクセスし、ストアからコンピュータに書籍をダウンロードする。そして、コンピュータから電子書籍専用端末に書籍を転送する。無線通信機能としては例えば２．４ＧＨｚのＷｉＦｉ（登録商標）（ＩＥＥＥ  ８０２．１１）の機能を利用してストアを利用して書籍を購入し、電子書籍専用端末にダウンロードする。電子書籍専用端末は、例えば２ＧＢの内蔵メモリを有し、内蔵メモリに対して書籍データを保持することができる。
【００２０】  ダウンロードされ、内蔵メモリに保存した書籍を電子書籍専用端末によって読むことができる。書籍には、ブックマークやメモを付けることができるようにされている。なお、ＷｉＦｉ（登録商標）は、無線通信機能の一例であって、他の通信方法例えば２．４ＧＨｚのＢｌｕｅｔｏｏｔｈ（登録商標）を使用しても良い。
【００２１】「機械的構成」  図２に示すように、電子書籍専用端末は、複数の構成要素を積層した構造を有する。図３は、図２中の一点鎖線で示す線の断面図である。合成樹脂の成型品であるリアケース１１が部品収納用凹部を有している。リアケース１１の下面に対して、合成樹脂製のリアカバー１２が積層されている。リアケース１１の下端面には、上述したように、リセットボタン、マイクロＵＳＢ端子、電源ボタン等が設けられるが、図２では、これらの図示が省略されている。
【００２２】  参照符号１３がバッテリ例えばリチウムイオン２次電池である。リアケース１１内にメイン基板１４が収納される。メイン基板１４は、プリント配線基板である。メイン基板１４上には、赤外線用ＬＥＤ群と、それを受光するためのフォトダイオード群とが基板の周囲に実装されている。さらに、他の回路部品がメイン基板１４上に実装されている。
【００２３】  メイン基板１４上に金属シャーシ１５、電子ペーパー１６および導光板１７がこの順序で積層される。メイン基板１４、金属シャーシ１５、電子ペーパー１６および導光板１７が光学式タッチパネルを構成する。金属シャーシ１５は、メイン基板１４を保護し、電子書籍専用端末の機械的強度を保つために使用されており、金属シャーシ１５としては、例えば合金ＡＺ９１Ｄが使用される。電子ペーパー１６としては、例えば電気泳動方式のディスプレイ（ＥＰＤ：Electrophoretic Display）が使用される。
【００２４】  導光板１７の左右両側にフロントブラケット１８ａ、１８ｂが配される。フロントブラケット１８ａ、１８ｂは、金属例えばステンレスからなり、側面を補強するために設けられている。フロントブラケット１８ａ、１８ｂ上に合成樹脂製のトップフレーム１９およびボトムフレームが配される。そして、最上部に枠型の合成樹脂製のフロントケース２１が設けられる。上述した構成部品が順番に積層され、接着剤、両面テープ、ネジ止め等の方法によって積層状態が固定される。例えばメイン基板１４と金属シャーシ１５とは、金属製のねじで共締めされている。したがって、金属シャーシ１５は、基板グランドと一体化された筐体グランドとみなすことができる。
【００２５】  機械的構造の断面が図３に示されている。メイン基板１４上に光源としてのＬＥＤ２２が設けられており、ＬＥＤ２２からの光が導光板１７を通じて電子ペーパー１６の上面に導かれる。
【００２６】  光学式タッチパネルの概略は、図４に示すように、ディスプレイ（電子ペーパー１６）の周囲に赤外線用ＬＥＤ群２５ａおよび２５ｂと、フォトダイオード（またはフォトトランジスタ）群２６ａおよび２６ｂを配置する。赤外線用ＬＥＤ群２５ａおよび２５ｂと、フォトダイオード（またはフォトトランジスタ）群２６ａおよび２６ｂとは、メイン基板１４上に実装される。赤外線用ＬＥＤとフォトダイオード（またはフォトトランジスタ）とが１対１に対応しており、ディスプレイ上に赤外線による走査線が縦横に張り巡らされる。したがって、指、スタイラスペン等によって、走査線が遮られることによって、指、スタイラスペン等の位置が検出される。
【００２７】「アンテナの取付」  本開示の一実施の形態は、ＷｉＦｉ（登録商標）（ＩＥＥＥ  ８０２．１１）の機能を有している。このための内蔵アンテナとしてＰＩＦＡタイプのアンテナが使用される。アンテナは、電子書籍専用端末１００の上端の近傍の領域で、光学式タッチパネル１０１の領域の外側に設置される。この領域にアンテナを配置するのは、人の手とアンテナとの距離が小さいと、電波が人体により吸収され、利得の減少等の問題が生じる。電子書籍専用端末の場合、本体の下側半分を片手または両手で把持して使用することが普通である。したがって、本体の中央の領域および下側の領域には、アンテナを設けないことが好ましい。
【００２８】  さらに、本開示の一実施の形態では、ＰＩＦＡタイプのアンテナの放射素子がリアケース１１の底面に対してほぼ垂直に取り付けられる。ＰＩＦＡタイプのアンテナの放射素子は、フレキシブル基板、或いは通常の配線基板上に生成された共振パターンを有する。さらに、ＰＩＦＡタイプのアンテナの放射素子は、無線機能として対応する周波数の共振パターン部分が、フレキシブル基板、或いは通常の配線基板に限らず、板金や銅箔等の金属により構成されていても良い。
【００２９】  図５に拡大して示すように、フロントケース２１から垂直に板状リブ３１を立ち上げる。板状リブ３１の板面に対して、ＰＩＦＡタイプのアンテナの放射素子３２が貼り付けられる。板状リブ３１は、フロントケース２１と一体に成型され、その板面が放射素子３２とほぼ同一の形状とされている。板状リブ３１は、フロントケース２１の上端面の近傍で、その長手方向がフロントケース２１の上端面とほぼ平行したものとされる。
【００３０】  図５の例では、リア側からフロント側を見た図であり、見る方向の右側に偏って放射素子３２が設置されている。水平方向の設置位置は、図示の例に限らす、任意に設定可能であるが、放射素子３２とメイン基板１４上のＲＦ接続部３４との距離がなるべく近くなるように選定される。放射素子３２の端子とＲＦ接続部３４とが同軸ケーブル３３によって接続される。さらに、ダイバーシティ受信のために２個以上のＰＩＦＡタイプのアンテナを設けるようにしても良い。
【００３１】  同軸ケーブル３３は、銅線の内部導体を絶縁体（誘電体）で覆い、絶縁体の周囲を外部導体（網組銅線）で覆い、最外周に保護被膜を設ける構成とされている。図６に示すように、同軸ケーブル３３は、所定の一部の被膜を剥いで、外部導体を露出させた被膜除去部分３３ａを形成している。
【００３２】  外部導体が露出している被膜除去部分３３ａが図５および図７に示すように、金属シャーシ１５に対して固定される。金属シャーシ１５に形成されている接続箇所に対して、上述した同軸ケーブル３３の被膜除去部分３３ａの外部導体が例えば導電性テープ３５によって確実に固定される。したがって、被膜除去部分３３ａの外部導体が筐体グランドに対して電気的に接続される。被膜除去部分３３ａの長さは、安定して金属シャーシ１５に固定できるように、５mm以上とされている。
【００３３】  さらに、図７に示すように、放射素子３２と金属シャーシ１５の上端との間隔ｄは、アンテナの特性が金属シャーシ１５の影響を受けない程度、確保される。例えば間隔ｄが最低３mm以上とされる。
【００３４】  図８を参照して同軸ケーブルの外部導体からの漏洩電流の影響について説明する。一例として、半波長ダイポールアンテナの場合を説明する。ダイポールアンテナは、先端開放伝送線路を電源を中心として互いに反対方向に９０度開き、１本の直線となるようにしたアンテナである。２本の導線（エレメントと称する）４１ａおよび４１ｂが電源の正負の電極に接続される。全長が波長の半分の長さとされたものが半波長ダイポールアンテナである。
【００３５】  半波長ダイポールアンテナでは、エレメント４１ａには、電源から流れ出る方向の電流ＩＲが発生し、エレメント４１ｂには、電源に流れ込む方向の電流ＩＲが発生する。同軸ケーブルを介して半波長ダイポールアンテナに対して給電を行う場合、エレメント４１ａの電流が内部導体４２を通じて流れ、エレメント４１ｂの電流が外部導体４３を通じて流れる。
【００３６】  一般的にアンテナは、原理的に平衡素子であり、一方、同軸ケーブルは、不平衡型の導線である。この不平衡型導線である同軸ケーブルから平衡素子であるアンテナに給電する場合に、アンテナ特性を向上させるためには、外部導体への漏洩電流を極力なくすようにする必要がある。
【００３７】  図８に示すように、アンテナの給電点に同軸ケーブルを用いて、信号電流Iが給電されるとき、半波長ダイポールアンテナの右側のエレメントに電流ＩＲが流れると同時に、左側のエレメントからリターン電流として電流ＩＬが流れる。アンテナは平衡素子なので、ＩＲ＝ＩＬとなるのが理想的である。しかしながら、前述したように同軸ケーブルは不平衡型の導線なので、外部導体に漏洩電流Ｉ"が発生する。したがって、（ＩＲ＝Ｉ、ＩＬ＝Ｉ−Ｉ"）となってしまう。このように、半波長ダイポールアンテナの２つのエレメント４１ａおよび４１ｂ間には、流れる電流のミスマッチによる電流分布の乱れが発生してしまい、理想的なアンテナの動作を行うことができない。
【００３８】  上述した現象は、平衡素子と不平衡素子とが接続されるために起こるので、外部導体４３への漏洩電流を極力なくすように、平衡−不平衡変換素子であるシュペルトップバラン(Spertopf Balun)を両者の間に挿入する対策がよく使われる。
【００３９】  本開示の一実施の形態では、ＰＩＦＡタイプのアンテナをアンテナとして使用している。ＰＩＦＡタイプのアンテナの動作原理を図９に示す。ＰＩＦＡタイプのアンテナは、１／４波長モノポールアンテナの変形タイプと考えることができる。そのため、無線回路の基板グランド、或いは基板グランドに接地された筺体グランドを理想的なグランドとみなし、その筺体グランド側をイメージ側の１／４波長のエレメントとして、動作させている。具体的には給電点の近くに短絡点を設けて、そこの距離間隔を変えることでアンテナ自身の入力インピーダンス整合をとりやすいように調整を行っている。
【００４０】  本開示の一実施の形態では、図５に示すように、無線回路が搭載されたメイン基板の基板グランドと共に金属製のねじで共締めされた金属シャーシ１５が、上述した筺体グランドとして等価的に動作していることになる。つまり、中剥ぎした同軸ケーブル３３の被膜除去部分３３ａを、筺体グランドへ接地することで、等価的にシュペルトップバランを構成する。したがって、平衡−不平衡による電流ミスマッチを低減して、アンテナ特性の向上を実現している。
【００４１】  さらに、被膜除去部分３３ａの位置によって、等価シュペルトップバランの入力インピーダンスの調整を行うことができる。図６に示すように、被膜除去部分３３ａの長さを固定して、放射素子３２の端と被膜除去部分３３ａの開始位置までの距離Ｌを変化させることによって、ＰＩＦＡタイプのアンテナの特性が図１０に示すように変化する。
【００４２】  一例として、５種類の距離（Ｌ１＝９mm）（Ｌ２＝８．５mm）（Ｌ３＝８mm）（Ｌ４＝７．５mm）（Ｌ５＝７mm）のそれぞれに関して、ＶＳＷＲ(Voltage Standing Wave Ratio:電圧定在波比）の周波数特性を測定した。ＶＳＷＲは、できる限り低い値であることが好ましい。例えばＶＳＷＲ＝１．５以下であることが好ましい。使用する周波数帯において、ＶＳＷＲがなるべく小さくなるように、距離Ｌが設定される。
【００４３】  本開示の一実施の形態によって、以下のような効果が得ることができる。  １．本体の上部において、ディスプレイ用パネルとほぼ垂直になるように、ＰＩＦＡタイプのアンテナを配置する構造を持つので、タブレットタイプの携帯用電子端末において、本体ディスプレイ面側で、狭ベゼル（狭額縁）のデザインを実現することが可能となり、ユーザのデザインに対する嗜好性を満足させることができる。図１１Ａは、本開示による端末装置例えば電子書籍専用端末の上部外観を示し、図１１Ｂは、既存の電子書籍専用端末の上部外観を示す。本開示による電子書籍専用端末は、既存の電子書籍専用端末に比較してベゼルの幅をより狭いものとできる。
【００４４】  従来では、メイン基板上に実装された無線回路のＲＦコネクタから、同軸ケーブルで引き出して、メイン基板を保護する金属製シャーシよりもさらに外側にある筺体ケース上に、ディスプレイ用パネルと水平に、アンテナ部を配置している。この方法では狭ベゼルの構成が難しい。他のアンテナ取付方法は、メイン基板上で、光学式タッチパネル用に実装された、赤外線用ＬＥＤ群とフォトダイオード群の赤外線による走査線を邪魔しないように、その外側に、ディスプレイ用パネルと水平に、アンテナ部を配置する方法である。この方法も、アンテナ部の占める面積が大きくなり、狭ベゼルの構成が難しい。本開示は、本体の上部において、ディスプレイ用パネルが配置される面と垂直な面にアンテナ部を配置するので、アンテナの占める面積を小さくでき、狭ベゼルの構成とできる。
【００４５】  ２．ＰＩＦＡタイプのアンテナと接続される同軸ケーブルの被膜を中剥ぎして外部導体を露出させた被膜除去部分３３ａを、本体の上部において、導電性テープ３５で金属シャーシ１５へ張り付けて筺体グランドへ接地している。この構成によって、電気的な等価回路としてシュペルトップバランを同軸ケーブルとアンテナ間に形成することになるので、電流ミスマッチによるアンテナ特性の劣化を防ぐことができる。
【００４６】  ３．アンテナを本体の上部に配置するので、タブレットタイプの携帯用電子端末のカテゴリーの中で、特に読書を主な機能とする電子書籍専用端末においては、通常使用時における人体の手による影響を殆ど受けないようにできる。したがって、無線特性として非常に有利な筺体構造を実現できる。
【００４７】＜２．変形例＞  以上、本開示の実施の形態について具体的に説明したが、上述の各実施の形態に限定されるものではなく、本開示の技術的思想に基づく各種の変形が可能である。例えば、上述の実施の形態において挙げた構成、方法、工程、形状、材料および数値などはあくまでも例に過ぎず、必要に応じてこれと異なる構成、方法、工程、形状、材料および数値などを用いても良い。例えばＷｉＦｉ（登録商標）以外の通信リンクを使用する場合のアンテナを使用する場合に対しても本開示を適用することができる。
【００４８】  なお、本開示は、以下のような構成も取ることができる。（１）  ディスプレイ用パネルと前記パネルの機械的な強度を保持するために用いられる金属シャーシと、  共振パターンと、一部分に被膜除去部分を設けて外部導体を露出させた同軸ケーブルとを有し、前記被膜除去部分を前記金属シャーシの上端近傍において固定するＰＩＦＡタイプのアンテナと  を備える携帯端末。（２）  本体の上端近傍の領域に、前記共振パターンの部分を前記ディスプレイ用パネル面に対して垂直に配置するようにした（１）に記載の携帯端末。（３）  前記金属シャーシの上端と前記共振パターンとが所定の距離、離間される（２）に記載の携帯端末。（４）  前記パネルが光学式タッチパネルを構成し、前記ＰＩＦＡタイプのアンテナが前記光学式タッチパネルの外側に配置される（１）（２）の何れかに記載の携帯端末。（５）  前記共振パターンが、フレキシブル基板、または配線基板上に形成される（１）（２）（４）の何れかに記載の携帯端末。（６）  前記共振パターンが、金属により生成される（１）（２）（４）の何れかに記載の携帯端末。（７）  前記被膜除去部分を前記金属シャーシの上端近傍において固定する場合に、前記被膜除去部分の位置によって、前記ＰＩＦＡタイプのアンテナの入力インピーダンスを調整するようにした（１）（２）（４）の何れかに記載の携帯端末。
【符号の説明】
【００４９】１１・・・リアケース１４・・・メイン基板１５・・・金属シャーシ１６・・・電子ペーパー１７・・・導光板２１・・・フロントケース３１・・・板状リブ３２・・・放射素子３３・・・同軸ケーブル３３ａ・・・被膜除去部分３５・・・導電性テープ
【図１】
2015033498.tif 000003
【図２】
2015033498.tif 000004
【図３】
2015033498.tif 000005
【図４】
2015033498.tif 000006
【図５】
2015033498.tif 000007
【図６】
2015033498.tif 000008
【図７】
2015033498.tif 000009
【図８】
2015033498.tif 000010
【図９】
2015033498.tif 000011
【図１０】
2015033498.tif 000012
【図１１】
2015033498.tif 000013
【国際調査報告】
2015033498.tif 000014
2015033498.tif 000015
2015033498.tif 000016
2015033498.tif 000017